(57)【要約】空気調和機の室内機（１００）及びそれを備える空気調和機であって、空気調和機の室内機（１００）は、ケーシング（１）、ファンユニット（２）、第１駆動機構（４）、第１開閉板（３）、第２駆動機構（６）及び第２開閉板（５）を備える。第１開閉板（３）は、開状態と閉状態を有し、開状態では、第１駆動機構（４）が、第１開閉板（３）を駆動して、ケーシング（１）に対して外へ所定位置まで移動させることで、第１吹出口（１１ａ）を開放し、閉状態では、第１開閉板（３）がケーシング（１）と結合して第１吹出口（１１ａ）を閉じ、第２駆動機構（６）は、第２開閉板（５）を駆動してケーシング（１）に対してスライドさせることで、第２吹出口（１１ｂ）を開閉する。【選択図】図５
2021513043.tif 000002
【特許請求の範囲】
【請求項１】
吸込口、第１吹出口及び第２吹出口が設けられ、内部に前記吸込口と前記第１吹出口、及び前記吸込口と前記第２吹出口をそれぞれ連通する風道流路が設けられるケーシングと、
前記ケーシング内に設けられ、前記風道流路内を流れるように空気流を案内するファンユニットと、
第１駆動機構及び第１開閉板であって、前記第１駆動機構は前記ケーシング内に設けられ、前記第１開閉板が開状態と閉状態とを有するように、前記第１駆動機構は前記第１開閉板に接続され、前記第１開閉板を駆動して移動させ、前記第１駆動機構が前記第１開閉板を駆動して、前記ケーシングに対して外へ所定位置まで移動させたとき、前記第１開閉板は前記開状態に切り替わり、前記開状態では、前記第１開閉板が前記第１吹出口を開放し、前記閉状態では、前記第１開閉板が前記ケーシングと結合して前記第１吹出口を閉じる、第１駆動機構及び第１開閉板と、
第２開閉板及び第２駆動機構であって、前記第２駆動機構は前記第２開閉板に接続され、前記第２開閉板を駆動して、前記第２吹出口を開閉するように前記第２開閉板を前記ケーシングに対してスライドさせる、第２開閉板及び第２駆動機構とを備える、
ことを特徴とする空気調和機の室内機。
【請求項２】
前記第１開閉板は、
前記第１駆動機構に接続され、前記第１駆動機構によって駆動されて移動し、前記第１開閉板が開状態である場合、外周壁によって空気流の流れを案内するガイド部材と、
前記ガイド部材に接続され、前記第１開閉板が閉状態である場合、前記ケーシングと結合して前記第１吹出口を閉じる密閉部材と、を備える、
ことを特徴とする請求項１に記載の空気調和機の室内機。
【請求項３】
前記吸込口から前記第１吹出口への方向に沿って、前記ガイド部材の鉛直断面積が徐々に大きくなる、
ことを特徴とする請求項２に記載の空気調和機の室内機。
【請求項４】
前記第１駆動機構は、
前記ケーシング内に設けられる第１駆動モータと、
前記第１駆動モータに接続され、前記第１駆動モータによって駆動されて回転する第１駆動ギアと、
前記第１開閉板の移動方向に沿って延びており、前記第１駆動ギアと噛み合って、前記第１駆動ギアによって駆動されて移動し、一端が前記第１開閉板に接続されて前記第１開閉板を連動して移動させる第１ラックと、を備える、
ことを特徴とする請求項１〜３のいずれか一項に記載の空気調和機の室内機。
【請求項５】
前記第１ラックには、前記第１開閉板の移動方向に延びているストッパー溝が設けられ、前記第１駆動機構は、前記ストッパー溝内に伸びる止めロッドをさらに備え、前記止めロッドは、前記ストッパー溝にスライド可能に結合し、前記第１開閉板が開状態である場合、前記止めロッドは、ストッパー溝の一端に当接して前記第１開閉板をストップさせる、
ことを特徴とする請求項４に記載の空気調和機の室内機。
【請求項６】
前記ファンユニットは、吹出風道部材を備え、前記吹出風道部材は前記第１吹出口に正対して設置され，前記第１駆動機構が設けられる取付空間を有する、
ことを特徴とする請求項４に記載の空気調和機の室内機。
【請求項７】
前記第１駆動機構は、前記吹出風道部材に接続され案内孔が設けられたラックボックスをさらに備え、前記第１ラックは、前記案内孔を貫通して前記ラックボックスに対して往復移動する、
ことを特徴とする請求項６に記載の空気調和機の室内機。
【請求項８】
前記第２駆動機構は、前記第２開閉板を駆動して鉛直方向に沿ってスライドさせる、
ことを特徴とする請求項１〜７のいずれか一項に記載の空気調和機の室内機。
【請求項９】
前記第２駆動機構は、
第２駆動モータと、
前記第２駆動モータに接続され、前記第２駆動モータによって駆動されて回転する第２駆動ギアと、
前記第２開閉板の移動方向に沿って延びており、前記第２駆動ギアと噛み合って、前記第２駆動ギアによって駆動されて移動し、一端が前記第２開閉板に接続されて前記第２開閉板を連動して移動させる第２ラックと、を備える、
ことを特徴とする請求項１〜８のいずれか一項に記載の空気調和機の室内機。
【請求項１０】
前記ファンユニットは、前記第１吹出口に正対して設置される第１ファンと、前記第２吹出口に正対して設置される第２ファンとを備える、
ことを特徴とする請求項１〜９のいずれか一項に記載の空気調和機の室内機。
【請求項１１】
前記第１ファンは、斜流ファンであり、前記第２ファンは、二重反転ファンである、
ことを特徴とする請求項１０に記載の空気調和機の室内機。
【請求項１２】
前記第１吹出口は、前記第２吹出口の上方に位置する、
ことを特徴とする請求項１〜１１のいずれか一項に記載の空気調和機の室内機。
【請求項１３】
請求項１〜１２のいずれか一項に記載の空気調和機の室内機を備える、
ことを特徴とする空気調和機。
【発明の詳細な説明】
【技術分野】
【０００１】
本出願は、出願番号が２０１８２２１１２０７８．９、出願日が２０１８年１２月１４日の中国特許出願に基づいて提供され、上記中国特許出願の優先権を主張し、それらの全内容が引用により本出願に組み込まれる。
【０００２】
本出願は空気処理装置分野に関し、特に空気調和機の室内機及びそれを備える空気調和機に関する。
【背景技術】
【０００３】
関連技術では、空気調和機の室内機のケーシングには、ケーシングに対してスライドして吹出口を開閉する開閉板が設けられる。しかしながら、スライド式の開閉板は、スタイルが単一であり、製品に先進感が欠けている。且つ、上記空気調和機の室内機では、送風方式が単一であり、室内の温度分布にムラがあり、ユーザー体験に深刻な影響を及ぼす。
【発明の概要】
【発明が解決しようとする課題】
【０００４】
本出願の目的は、少なくとも従来技術に存在する技術問題の１つを解決することである。そのため、本出願の１つの目的は、送風効果が高く、先進感が高いという利点を有する空気調和機の室内機を提供することである。
【０００５】
本出願は、さらに、上記空気調和機の室内機を備える空気調和機を提供する。
【課題を解決するための手段】
【０００６】
本出願の実施例に係る空気調和機の室内機は、吸込口、第１吹出口及び第２吹出口が設けられ、内部に前記吸込口と前記第１吹出口、及び前記吸込口と前記第２吹出口をそれぞれ連通する風道流路が設けられるケーシングと、前記ケーシング内に設けられ、前記風道流路内を流れるように空気流を案内するファンユニットと、第１駆動機構及び第１開閉板であって、前記第１駆動機構は前記ケーシング内に設けられ、前記第１開閉板が開状態と閉状態とを有するように、前記第１駆動機構は前記第１開閉板に接続され、前記第１開閉板を駆動して移動させ、前記第１駆動機構が前記第１開閉板を駆動して、前記ケーシングに対して外へ所定位置まで移動させたとき、前記第１開閉板は前記開状態に切り替わり、前記開状態では、前記第１開閉板が前記第１吹出口を開放し、前記閉状態では、前記第１開閉板が前記ケーシングと結合して前記第１吹出口を閉じる、第１駆動機構及び第１開閉板と、第２開閉板及び第２駆動機構であって、前記第２駆動機構は前記第２開閉板に接続され、前記第２開閉板を駆動して、前記第２吹出口を開閉するように前記ケーシングに対してスライドさせる、第２開閉板及び第２駆動機構とを備える。
【０００７】
本出願の実施例に係る空気調和機の室内機は、第１開閉板及び第２開閉板を設置することで、第１駆動機構は、第１開閉板の前後移動を制御することで第１吹出口の開閉を実現でき、第２駆動機構は、第２開閉板をケーシングに対してスライドするように駆動することで第２吹出口の開閉を実現し、空気調和機の室内機の製品の先進感を大幅に向上させる。また、第１吹出口と第２吹出口から流れた空気流は室内空間内において合流することができ、それによって、空気流が室内空間の隅々に均一に流れて、室内の温度分布をより均一にすることができ、空気調和機の室内機の使用時の快適性を大幅に向上させる。
【０００８】
本出願のいくつかの実施例によれば、前記第１開閉板は、前記第１駆動機構に接続され、前記第１駆動機構によって駆動されて移動し、前記第１開閉板が開状態である場合、外周壁によって空気流流れを案内するガイド部材と、前記ガイド部材に接続され、前記第１開閉板が閉状態である場合、前記密閉部材が前記ケーシングと結合して前記第１吹出口を閉じる密閉部材と、を備える。
【０００９】
本出願のいくつかの実施例においては、前記吸込口から前記第１吹出口への方向に沿って、前記ガイド部材の鉛直断面積が徐々に大きくなる。
【００１０】
本出願のいくつかの実施例によれば、前記第１駆動機構は、前記ケーシング内に設けられる第１駆動モータと、前記第１駆動モータに接続され、前記第１駆動モータによって駆動されて回転する第１駆動ギアと、前記第１開閉板の移動方向に沿って延びており、前記第１駆動ギアと噛み合って、前記第１駆動ギアによって駆動されて移動し、一端が前記第１開閉板に接続されて前記第１開閉板を連動して移動させる第１ラックとを備える。
【００１１】
本出願のいくつかの実施例においては、前記第１ラックには、前記第１開閉板の移動方向に延びているストッパー溝が設けられ、前記第１駆動機構は、前記ストッパー溝内に伸びる止めロッドをさらに備え、前記止めロッドは、前記ストッパー溝にスライド可能に結合し、前記第１開閉板が開状態である場合、前記止めロッドは、ストッパー溝の一端に当接して前記第１開閉板をストップさせる。
【００１２】
本出願のいくつかの実施例においては、前記ファンユニットは、吹出風道部材を備え、前記吹出風道部材は前記第１吹出口に正対して設置され，前記第１駆動機構が設けられる取付空間を有する。
【００１３】
本出願のいくつかの実施例においては、前記第１駆動機構は、前記吹出風道部材に接続され案内孔が設けられたラックボックスをさらに備え、前記第１ラックは、前記案内孔を貫通して前記ラックボックスに対して往復移動する。
【００１４】
本出願のいくつかの実施例においては、前記第２駆動機構は、前記第２開閉板を駆動して鉛直方向に沿ってスライドさせる。
【００１５】
本出願のいくつかの実施例においては、前記第２駆動機構は、第２駆動モータと、前記第２駆動モータに接続され、前記第２駆動モータによって駆動されて回転する第２駆動ギアと、前記第２開閉板の移動方向に沿って延びており、前記第２駆動ギアと噛み合って、前記第２駆動ギアによって駆動されて移動し、一端が前記第２開閉板に接続されて前記第２開閉板を連動して移動させる第２ラックと、を備える。
【００１６】
本出願のいくつかの実施例においては、前記ファンユニットは、前記第１吹出口に正対して設置される第１ファンと、前記第２吹出口に正対して設置される第２ファンとを備える。
【００１７】
本出願のいくつかの実施例においては、前記第１ファンは、斜流ファンであり、前記第２ファンは、二重反転ファンである。
【００１８】
本出願のいくつかの実施例によれば、前記第１吹出口は、前記第２吹出口の上方に位置する。
【００１９】
本出願の実施例に係る空気調和機は、本出願の上記実施例に係る空気調和機の室内機を備える。
【発明の効果】
【００２０】
本出願の実施例に係る空気調和機は、上記空気調和機の室内機を設置することで、空気調和機の製品先進感を向上できるだけではなく、さらに空気調和機の冷房と暖房効果を向上でき、ユーザーの使用時の快適性を大幅に向上させ、さらに空気調和機の市場競争力を向上させることができる。
【００２１】
本出願の追加の態様及び利点は、以下の説明において部分的に説明され、その一部は、以下の説明から明らかになるか、又は本出願を実施することによって把握できる。
【図面の簡単な説明】
【００２２】
本出願の上記及び／又は追加の態様及び利点は、以下の図面を参照しながら実施例を説明することによって明らかで容易に理解できるようになる。
【００２３】
【図１】第１開閉板及び第２開閉板がいずれも閉状態である本願の第１実施例に係る空気調和機の室内機の全体構造の模式図である。
【図２】第１開閉板及び第２開閉板がいずれも開状態である本願の実施例に係る空気調和機の室内機の部分構造の模式図である。
【図３】本願の実施例に係る空気調和機の室内機の内部構造の模式図である。
【図４】図３におけるＡで示される部分の部分拡大図である。
【図５】本願の実施例に係る空気調和機の室内機の爆発構造の模式図である。
【図６】本願の実施例に係る吹出風道部材と第１駆動機構との結合構造の模式図である。
【図７】図６におけるＢで示される部分の部分拡大図である。
【図８】本願の実施例に係るガイド部材の構造の模式図である。
【図９】第１開閉板及び第２開閉板がいずれも閉状態である本願の第２実施例に係る空気調和機の室内機の全体構造の模式図である。
【発明を実施するための形態】
【００２４】
以下、本出願の実施例を詳細に説明し、前記実施例の例は、図面に示され、同じ又は類似した符号は、一貫して同じ又は類似した素子又は同じ又は類似した機能を有する素子を示す。以下、図面を参照しながら説明する実施例は、例示的なものであり、本出願を解釈するためのものにすぎず、本出願を限定するものとして理解すべきではない。
【００２５】
以下、図１−図９を参照して本出願の実施例に係る空気調和機の室内機１００を説明し、該空気調和機の室内機１００は室内空気に対して冷房と暖房を行うことができる。
【００２６】
図１と図５に示すように、本出願の実施例に係る空気調和機の室内機１００は、ケーシング１、ファンユニット２、第１駆動機構４及び第１開閉板３を備える。
【００２７】
ケーシング１には、吸込口１２ａ、第１吹出口１１ａ及び第２吹出口１１ｂが設けられてもよく、ケーシング１内には、前記吸込口１２ａと第１吹出口１１ａ、及び前記吸込口１２ａと第２吹出口１１ｂをそれぞれ連通する風道流路が設けられてもよく、ファンユニット２は、空気流が風道流路内を流れるように案内するためにケーシング１内に設けられてもよい。具体的には、空気調和機の室内機１００が運転するとき、ファンユニット２は、回転することで風道流路内で負圧を発生させ、負圧の作用により、空気流は、吸込口１２ａから空気流路に入り、空気流路内を流れた後、第１吹出口１１ａ及び第２吹出口１１ｂを介して吹き出される。空気流は、第１吹出口１１ａのみを介して吹き出されてもよく、または第２吹出口１１ｂのみを介して吹き出されてもよく、第１吹出口１１ａ及び第２吹出口１１ｂの両方を介して吹き出されてもよい。
【００２８】
図５に示すように、本願の一具体例では、ケーシング１は、フロントパネル１１と、バックパネルユニット１２とを備えてもよく、フロントパネル１１がバックパネルユニット１２と係合することができる。バックパネルユニット１２には、吸込口１２ａが設けられてもよく、吸込口１２ａには、吸い込みグリル１２１が設けられる。フロントパネル１１には、第１吹出口１１ａが設けられてもよく、ケーシング１内には、第１吹出口１１ａ及び吸込口１２ａに連通する風道流路が設けられてもよく、風道流路内には、熱交換部材７がさらに設けられる。熱交換部材７は、風道流路内の空気流と熱交換することができ、熱交換された空気流は、第１吹出口１１ａを介して吹き出されてもよく、それによって、室内の温度を調節する目的を達成することができる。
【００２９】
図２−図５に示すように、第１駆動機構４は、ケーシング１内に設けられ、第１開閉板３が開状態と閉状態とを有するように第１開閉板３に接続されて、第１開閉板３を移動するように駆動することができる。第１駆動機構４が第１開閉板３を、ケーシング１に対して所定位置まで外（たとえば、図３に示される前方）へ移動するように駆動するとき、第１開閉板３が開状態に切り替わり、このとき、第１開閉板２が第１吹出口１１ａを開放することができ、第１開閉板３が閉状態である場合、第１開閉板３は、ケーシング１と結合して第１吹出口１１ａを閉じることができる。
【００３０】
具体的には、第１駆動機構４は、第１吹出口１１ａを開閉するように第１開閉板３を前後に移動するように駆動することができる。空気調和機の室内機１００が運転するとき、第１駆動機構４は、第１開閉板３を前方に所定位置まで移動するように駆動し、このとき、第１開閉板３は、第１吹出口１１ａを開放することができ、空気流が第１吹出口１１ａを介して吹き出される。空気調和機の室内機１００が停止するとき、第１駆動機構４は、第１開閉板３を後方に移動するように駆動することができ、第１開閉板３は、ケーシング１と結合して第１吹出口１１ａを閉じることができる。
【００３１】
図６に示すように、第２駆動機構６は、第２開閉板５に接続され、第２開閉板５をケーシング１に対してスライドするように駆動して第２吹出口１１ｂを開閉することができる。それによって、上記設置によって、空気調和機の室内機１００は、第１吹出口１１ａ及び第２吹出口１１ｂの両方を介して吹き出され、空気調和機の室内機１００の吹出効率を向上させ、空気調和機の室内機１００の送風領域を大きくすることができる。さらに、空気流は、第１吹出口１１ａを介して吹き出された後、第１開閉板３の円周方向に沿って周囲へ風を分散させることができ、第１吹出口１１ａから流出した空気流及び第２吹出口１１ｂから流出した空気流は、室内空間において衝突することで合流の役割を果たし、室内の温度分布をより均一にし、さらに無風感の吹出効果を達成することができる。
【００３２】
好ましくは、第１開閉板３と第２開閉板５の動作状態をそれぞれ制御してもよい。第１吹出口１１ａから吹き出す必要がある場合、第１駆動機構４によって第１開閉板３を開状態に切り替えるように第１開閉板３を駆動することができ、このとき、第１吹出口１１ａが開放される。第２吹出口１１ｂから吹き出す必要がある場合、第２駆動機構６によってケーシング１に対して第２開閉板５をスライドするように駆動して第２吹出口１１ｂを開放することができる。第１開閉板３と第２開閉板５は連動し、すなわち、第１開閉板３と第２開閉板５は同時に移動可能であり、それによって、第１吹出口１１ａと第２吹出口１１ｂの同時開閉が可能である。
【００３３】
それによって、上記設置によって、第１駆動機構４は、第１開閉板３の前後移動を制御することで第１吹出口１１ａを開閉することができ、第２駆動機構６は、ケーシング１に対して第２開閉板５をスライドするように駆動することで第２吹出口１１ｂを開閉することができ、空気調和機の室内機１００の製品の先進感を向上させることができる。且つ、空気流が第１吹出口１１ａを介して吹き出された後、第１開閉板３の円周方向に沿って周囲へ風を分散させることができ、第１吹出口１１ａ及び第２吹出口１１ｂから流出した空気流は、室内空間で合流することができ、それによって、空気流が室内空間の隅々に均一に流れて、室内の温度分布をより均一にすることができる。さらに、第１開閉板３は、空気流が室内のユーザーへ直接吹き出すことによる不快感を解消することができ、空気調和機の室内機１００の使用時の快適性を大幅に向上させる。
【００３４】
本願の実施例に係る空気調和機の室内機１００では、第１開閉板３及び第２開閉板５を設置することにより、第１駆動機構４は、第１開閉板３の前後移動を制御することで第１吹出口１１ａを開閉することができ、第２駆動機構６は、第２開閉板５をケーシング１に対してスライドするように駆動することで第２吹出口１１ｂを開閉することができ、空気調和機の室内機１００の製品の先進感を大幅に向上させる。さらに、第１吹出口１１ａ及び第２吹出口１１ｂから流出した空気流は、室内空間で合流することができ、それによって、空気流が室内空間の隅々に均一に流通して、室内の温度分布をより均一にすることができ、空気調和機の室内機１００の使用時の快適性を大幅に向上させる。
【００３５】
図５に示すように、本願のいくつかの実施例によれば、第１開閉板３は、ガイド部材３１と密閉部材３２とを備え、ガイド部材３１が第１駆動機構４に接続されて、第１駆動機構４によって移動するように駆動され、第１開閉板３が開状態である場合、ガイド部材３１の外周壁が空気流の流れを案内することができる。密閉部材３２はガイド部材３１に接続されてもよく、第１開閉板３が閉状態である場合、密閉部材３２は、ケーシング１と結合して第１吹出口１１ａを閉じることができる。それによって、上記設置によって、第１開閉板３の設計をよりシンプルにするとともに、第１開閉板３の導流効果を向上させることができる。
【００３６】
具体的には、第１開閉板３が開状態である場合、ガイド部材３１とケーシング１との間は、第１吹出口１１ａの吹出領域を画定し、空気流は、ガイド部材３１の外周壁に沿って外へ吹き出され、ガイド部材３１は、空気流を案内する作用を奏することができ、それによって、空気流の流通抵抗を減少させて、第１吹出口１１ａの吹出効率を向上させるだけでなく、ガイド部材３１が優れた風分散効果を果たすことができ、空気流は、ガイド部材３１の円周方向に沿って周囲へ風を分散させ、室内の温度分布をより均一にすることができる。
【００３７】
第１開閉板３が閉状態である場合、密閉部材３２は、ケーシング１と結合して第１吹出口１１ａを密封し、それによって、空気調和機の室内機１００を保護する作用を奏し、空気中の塵埃や汚物が第１吹出口１１ａから空気調和機の室内機１００内に侵入することを防止することができる。好ましくは、第１吹出口１１ａが円形に形成され、密閉部材３２が円盤状に形成され、密閉部材３２の外径が第１吹出口１１ａの直径よりも大きく形成され、それによって、第１吹出口１１ａへの密封効果を向上させることができる。好ましくは、密閉部材３２は、ガイド部材３１と一体に形成されてもよいし、ねじ接続又はリベットの方式でガイド部材３１と一体に接続されてもよい。
【００３８】
図４及び図８に示すように、本願のいくつかの実施例では、吸込口１２ａから第１吹出口１１ａへの方向（たとえば、図８に示される後方から前方への方向）に沿って、ガイド部材３１の鉛直断面積が徐々に大きくなり、それによって、ガイド部材３１の導流効果を向上させ、空気流が前方へ向かってユーザーに直接吹き出すことによるユーザーの不快感を防止することができる。
【００３９】
たとえば、図８に示すように、ガイド部材３１は、取付部３１１と、導流部３１２とを備えてもよく、取付部３１１と導流部３１２は、後方から前方への方向に順に接続されてもよく、取付部３１１は、ケーシング１とスライド可能に結合し得る。取付部３１１が円筒状に形成され、導流部３１２が円錐台状に形成される。後方から前方への方向において、導流部３１２の鉛直断面積が徐々に大きくなり、導流部３１２がほぼラッパ状に形成される。それによって、空気流は、第１吹出口１１ａから流出するとき、導流部３１２の外周壁に沿って第１吹出口１１ａの周囲に向けて分散して流れることができ、良好な風分散効果を奏する。好ましくは、円周方向に間隔をあけて配置されている複数のねじ柱３１２ａが導流部３１２の先端に設けられてもよく、密閉部材３２は、ねじ接続の方式で導流部３１２と一体に接続されてもよい。
【００４０】
図９に示すように、本願のいくつかの実施例では、間隔をあけて配置されている複数の第１吹出微細孔３２ａが密閉部材３２に設けられてもよく、各第１吹出微細孔３２ａは、密閉部材３２の厚さ方向（たとえば、図９に示される前後方向）において密閉部材３２を貫通することができ、複数の第１吹出微細孔３２ａに連通する導風路がガイド部材３１内に設けられてもよく、それによって、無風感の送風効果を達成して、ユーザーの使用時の快適性を大幅に向上させる。
【００４１】
具体的には、空気調和機の室内機１００は、第１正常送風モード及び第１無風感送風モードを有してもよい。空気調和機の室内機１００が第１正常送風モードである場合、第１開閉板３は、開状態であり、第１駆動機構４は、第１開閉板３を前方に所定位置まで移動するように駆動して第１吹出口１１ａを開放し、空気流の一部がガイド部材３１に沿って第１吹出口１１ａの周囲へ分散して流れ、空気流の他の部分が導風路内に入って複数の第１吹出微細孔３２ａから流出する。空気調和機の室内機１００が第１無風感送風モードである場合、第１開閉板３は、閉状態であり、空気流は、導風路内に入って複数の第１吹出微細孔３２ａを介して吹き出される。複数の第１吹出微細孔３２ａは、空気流を複数の小さな分岐気流に分けることができ、且つ第１吹出微細孔３２ａの孔径が小さいため、空気流の速度を低下させる作用を奏することができ、空気流は、複数の吹出微細孔内からゆっくりと流出できることを理解できる。それによって、無風感の送風効果を達成して、空気流が室内のユーザーに直接吹き出すことによる不快感を防止することができ、室内の温度分布をより均一にし、ユーザー体験を大幅に向上させる。
【００４２】
好ましくは、空気調和機の室内機１００は、冷房モードである場合、冷気が室内のユーザーに直接吹き出すことを防止するために、空気調和機の室内機１００を第１無風感送風モードに調節して、冷気が複数の第１吹出微細孔３２ａから室内空間へゆっくりと流れるようにすることができる。空気調和機の室内機１００は、暖房モードである場合、熱風の空気密度が小さく流通速度が遅いため、空気調和機の室内機１００を第１正常送風モードに調節して、第１吹出口１１ａから室内空間内に迅速に流れるようにすることができ、それによって、空気調和機の室内機１００の暖房効率を向上させることができる。
【００４３】
図６に示すように、本願のいくつかの実施例によれば、第１駆動機構４は、第１駆動モータ４５と、第１駆動ギア４１と、第１ラック４２とを備え、第１駆動モータ４５がケーシング１内に設けられ、第１駆動ギア４１が第１駆動モータ４５に接続されて第１駆動モータ４５によって回転するように駆動され、第１ラック４２が、第１開閉板３の移動方向（たとえば、図６に示される前後方向）に沿って延びており、第１駆動ギア４１と噛み合って第１駆動ギア４１によって移動するように駆動され、第１ラック４２の一端が第１開閉板３に接続されて第１開閉板３を連動して移動させることができる。それによって、上記設置によって、第１駆動機構４の設計形態をよりシンプルにすることができ、第１駆動機構４は、ラックアンドピニオンによる駆動形態で第１開閉板３を移動するように駆動することで、第１開閉板３の動作をより円滑にして、空気調和機の室内機１００の運転騒音を低減させることができる。
【００４４】
好ましくは、第１駆動機構４は、一対一対応して結合する第１駆動ギア４１と第１ラック４２を２対備えてもよく、２対の第１駆動ギア４１と第１ラック４２は、間隔をあけて配置され、それぞれ第１開閉板３に接続されてもよい。それによって、第１駆動機構４と第１開閉板３との結合構造をより強固にして、第１開閉板３の動作をより円滑にすることができる。さらに、第１駆動機構４は、第１駆動モータ４５を備えてもよく、第１駆動モータ４５が２軸モータであり、第１駆動モータ４５の２つのモータ軸は、回転方向が同じであるとともに、それぞれ一方の第１駆動ギア４１にキー結合される。それによって、上記設置によって、第１駆動機構４の全体構造をよりコンパクト化し、さらに、２つの第１ラック４２の動作の一致性を向上させることができる。勿論、第１駆動機構４は、同期動作可能な２つの第１駆動モータ４５を備えてもよく、各第１駆動モータ４５は、１軸モータであり、対応する第１駆動ギア４１に接続される。
【００４５】
図６及び図８に示される具体例では、第１開閉板３は、第１接続フレーム３３と第２接続フレーム３４とをさらに備えてもよく、第１接続フレーム３３及び第２接続フレーム３４がそれぞれガイド部材３１に設けられ、ガイド部材３１の円周方向に間隔をあけて配置されている。第１接続フレーム３３には、第１取付孔３３１が設けられ、第２接続フレーム３４には、第２取付孔３４１が設けられる。第１駆動機構４は、２対の一対一対応して結合する第１駆動ギア４１と第１ラック４２、及び１つの第１駆動モータ４５を備え、第１駆動モータ４５が２軸モータであり、第１駆動モータ４５の２つのモータ軸は、回転方向が同じであり、それぞれ１つの第１駆動ギア４１にキー結合される。各第１ラック４２には、結合カラム４２２が設けられる。第１駆動機構４を第１開閉板３に取り付けるとき、一方の第１ラック４２の結合カラム４２２が第１接続フレーム３３の第１取付孔３３１に挿入され、他方の第１ラック４２の結合カラム４２２が第２接続フレーム３４の第２取付孔３４１に挿入される。それによって、上記設置によって、第１駆動機構４と第１開閉板３との接続構造をよりシンプルにして、空気調和機の室内機１００の組立効率を大幅に向上させることができる。
【００４６】
なお、第１駆動機構４の設計形態は、これに限定されず、第１開閉板３を前後移動するように駆動できればよい。たとえば、第１駆動機構４は、リニアモータ又は油圧駆動シリンダであってもよく、リニアモータ又は油圧駆動シリンダの一端がケーシング１に接続され、他端が第１開閉板３に接続されるようにしてもよく、それによって、開状態と閉状態との間で柔軟的に切り替わるように第１開閉板３を駆動できる。
【００４７】
図６−図７に示すように、本願のいくつかの実施例では、第１開閉板３の移動方向（たとえば、図６−図７に示される前後方向）に延びているストッパー溝４２１が第１ラック４２に設けられてもよく、第１駆動機構４は、ストッパー溝４２１内に伸びる止めロッド４３をさらに備えてもよく、止めロッド４３は、ストッパー溝４２１にスライド可能に結合することができ、第１開閉板３が開状態である場合、止めロッド４３は、ストッパー溝４２１の一端に当接して第１開閉板３をストップさせることができる。それによって、上記設置によって、止めロッド４３は、第１ラック４２をストップさせる作用を奏し、第１開閉板３を所定位置まで正確に移動させ、空気調和機の室内機１００の運転の安定性を向上させることができる。
【００４８】
好ましくは、止めロッド４３の外周壁に接触センサ（図示せず）を設置してもよく、接触センサは、第１駆動モータ４５と通信可能に接続され得る。第１駆動機構４が第１開閉板３を移動するように駆動するとき、第１駆動モータ４５は、第１駆動ギア４１を回転するように駆動し、第１駆動ギア４１が第１ラック４２と噛み合って第１ラック４２を移動するように駆動し、第１ラック４２が移動するときに、止めロッド４３は、第１ラック４２のストッパー溝４２１にスライド可能に結合する。第１ラック４２が所定位置まで移動したとき、止めロッド４３の接触センサは、ストッパー溝４２１の一端に接触し、接触センサは、接触信号を第１駆動モータ４５に伝達することができ、第１駆動モータ４５は接触信号を受信すると動作を停止する。それによって、上記設置によって、第１駆動機構４をインテリジェントに制御し、第１駆動機構４の操作をより便利にすることができる。
【００４９】
図６に示すように、本願のいくつかの実施例では、ファンユニット２は、吹出風道部材２６を備えてもよく、吹出風道部材２６は、第１吹出口１１ａに正対して設置され、第１駆動機構４が設けられる取付空間２６ａを有してもよい。それによって、上記設置によって、第１駆動機構４とファンユニット２との結合構造をよりコンパクト化し、空気調和機の室内機１００内の組立空間を節約することができる。
【００５０】
たとえば、図６に示すように、吹出風道部材２６は円環状に形成され、吹出風道部材２６内に取付空間２６ａが画定され、第１駆動機構４が取付空間２６ａに設けられるようにしてもよい。吹出風道部材２６は、間隔をあけて配置されている複数の吹出ルーバー２６１を備えてもよく、複数の吹出ルーバー２６１は、取付空間２６ａの周囲に位置し、吹出風道部材２６の円周方向に間隔をあけて配置されており、導流及び吹出角度を変更する作用を奏することができる。取付空間２６ａは、風道流路に連通してもよく、風道流路と間隔をあけて設置されてもよい。密閉部材３２に第１吹出微細孔３２ａが設けられる場合、取付空間２６ａは、風道流路に連通することができ、風道流路内の空気流が取付空間２６ａ内に入って第１吹出微細孔３２ａを介して吹き出される。取付空間２６ａが風道流路と間隔をあけて設置される場合、空気流は、ガイド部材３１とケーシング１との間に画定された吹出空間を通過して室内空間に入ることができる。
【００５１】
図７に示すように、本願のいくつかの実施例では、第１駆動機構４は、吹出風道部材２６に接続され案内孔４４１が設けられたラックボックス４４をさらに備えてもよく、第１ラック４２は、案内孔４４１を貫通してラックボックス４４に対して往復移動することができ、案内孔４４１は、第１ラック４２に対して案内する作用を奏し、第１ラック４２の動作をより規則的で且つ円滑にし、それによって、第１開閉板３の動作の安定性を向上させることができる。
【００５２】
図１−図２に示すように、本願のいくつかの実施例によれば、ケーシング１には、第２吹出口１１ｂが設けられ、空気調和機の室内機１００は、第２開閉板５及び第２駆動機構６をさらに備えるようにしてもよい。
【００５３】
図１に示すように、本願のいくつかの実施例では、第１吹出口１１ａ及び第２吹出口１１ｂは、上下方向において間隔をあけて配置してもよく、第１吹出口１１ａは、第２吹出口１１ｂの上方に位置する。第１吹出口１１ａには、第１開閉板３が設けられ、第１開閉板３は、第１駆動機構４に接続されてもよく、第１駆動機構４は、第１開閉板３を往復移動するように駆動して第１吹出口１１ａを開閉することができる。第２吹出口１１ｂには、第２開閉板５が設けられ、第２開閉板５は、第２駆動機構６に接続されてもよく、第２駆動機構６は、第２開閉板５を往復移動するように駆動して第２吹出口１１ｂを開閉することができる。
【００５４】
第１開閉板３と第２開閉板５の開閉状態をそれぞれ制御してもよい。空気調和機の室内機１００が冷房動作モードである場合、第２駆動機構６は、第２開閉板５をスライドするように駆動して第２吹出口１１ｂを閉じ、第１駆動機構４は、第１開閉板３を前方に移動するように駆動して第１吹出口１１ａを開放する。第１吹出口１１ａが第２吹出口１１ｂの上方に位置するため、冷気は、第１吹出口１１ａから室内空間の上半部に入り、冷気の空気密度が大きいので、冷気が室内空間で上から下へゆっくりと流通することができ、それによって、冷房効果を向上させるだけでなく、冷気が第２吹出口１１ｂによって室内のユーザーに直接吹き出すことによる不快感をさらに防止することができることを理解できる。
【００５５】
空気調和機の室内機１００が暖房動作モードである場合、第２駆動機構６は、第２開閉板５をスライドするように駆動して第２吹出口１１ｂを開放し、第１駆動機構４は、第１開閉板３を前方に移動するように駆動して第１吹出口１１ａを開放する。それによって、第１吹出口１１ａと第２吹出口１１ｂからは、同時に吹き出すことができる。熱風の空気密度が小さく、流通速度が遅いため、第１吹出口１１ａと第２吹出口１１ｂから同時に吹き出すと、空気調和機の室内機１００の暖房効率を向上させ、且つ熱風をフロアに順調に流通させて、足を暖かくする効果を達成し、ユーザー体験を大幅に向上できることを理解できる。
【００５６】
なお、空気調和機の室内機１００の第１吹出口１１ａと第２吹出口１１ｂの設置形態はこれに限定されない。たとえば、空気調和機の室内機１００に複数の第１吹出口１１ａと複数の第２吹出口１１ｂが設置されてもよく、実際の使用ニーズに応じて設置することができ、本願では、これついて特に制限しない。
【００５７】
本願の一具体例では、第２吹出口１１ｂは、第１吹出口１１ａの上方に位置し、第１吹出口１１ａには、第１開閉板３が設けられ、第１開閉板３は、第１駆動機構４に接続され、第１駆動機構４は、第１開閉板３を往復移動するように駆動して第１吹出口１１ａを開閉することができる。第２吹出口１１ｂには、第２開閉板５が設けられ、第２開閉板５は、第２駆動機構６に接続され、第２駆動機構６は、第２開閉板５を往復移動するように駆動して第２吹出口１１ｂを開閉することができる。第２開閉板５は、上から下へスライドすることで第２吹出口１１ｂを開放し、下から上へスライドすることで第２吹出口１１ｂを閉じるようにしてもよいし、上から下へスライドすることで第２吹出口１１ｂを閉じ、下から上へスライドすることで第２吹出口１１ｂを開放するようにしてもよい。
【００５８】
本願のいくつかの実施例では、第２駆動機構６は、第２開閉板５を鉛直方向に沿ってスライドするように駆動し、それによって、第２吹出口１１ｂの吹出面積を便利に調節することができる。空気調和機の室内機１００の高さ寸法が大きい場合、第２吹出口１１ｂは、上下方向に延びてもよく、上下方向にスライドして変位するように第２開閉板５を制御することにより第２吹出口１１ｂの吹出面積を調節することができ、操作がより便利になることを理解できる。勿論、第２駆動機構６は、第２開閉板５を左右方向にスライドするように駆動してもよく、第２駆動機構６は、第２開閉板５を左右方向及び上下方向に対して一定の傾斜角度を有する方向に沿ってスライドするように駆動してもよく、実際の使用ニーズに応じて選択することができ、本願では、これついて特に制限しない。
【００５９】
図５に示すように、本願のいくつかの実施例では、第２駆動機構６は、第２駆動モータ（図示せず）と、第２駆動ギア６１と、第２ラック６２とを備えてもよく、第２駆動ギア６１が、第２駆動モータに接続されて第２駆動モータによって回転するように駆動され、第２ラック６２が、第２開閉板５の移動方向（たとえば、図５に示される上下方向）に沿って延びており、第２駆動ギア６１と噛み合って第２駆動ギア６１によって移動するように駆動され、第２ラック６２の一端が第２開閉板５に接続されて第２開閉板５を連動して移動させてもよい。それによって、上記設置によって、第２駆動機構６の設計形態をよりシンプルにすることができる。且つ、第２駆動機構６がラックアンドピニオン構造で駆動する方式で第２開閉板５をスライドするように駆動することで、第２開閉板５の動作をより円滑にすることができる。
【００６０】
好ましくは、第２駆動機構６は、一対一対応して結合する第２駆動モータ、第２駆動ギア６１、及び第２ラック６２を２組備えてもよい。２つの第２ラック６２は、いずれも上下方向に延びており、左右方向に間隔をあけて設置され、且ついずれも第２開閉板５の内周壁に接続される。第２駆動機構６が動作するときに、２つの第２駆動モータは、同期して回転し、２つの第２ラック６２は、同時に第２開閉板５をケーシング１に対してスライドするように駆動し、それによって、第２開閉板５の動作をより円滑にすることができる。
【００６１】
本願の一具体例では、空気調和機の室内機１００は、開閉板取付板８をさらに備えてもよく、第２駆動機構６が開閉板取付板８に設けられてもよい。第２ラック６２は、開閉板取付板８の前側壁に設けられ、第２開閉板５の内周壁に接続されてもよい。開閉板取付板８には、スライドレール（図示せず）が設けられ、第２開閉板５は、スライドレールにスライド可能に結合する。それによって、上記設置によって、第２駆動機構６の取り付けや固定を便利にするだけでなく、第２開閉板５がさらにスライドレールにスライド可能に結合することで第２開閉板５のスライド抵抗を減少させることができ、第２開閉板５の動作をよりスムーズにし、第２駆動モータの作業負荷をさらに減少させることができる。
【００６２】
なお、第２駆動機構６の構造の設計形態は、これに限定されず、第２開閉板５をケーシング１に対してスライドするように駆動できればよい。たとえば、第２駆動機構６は、リニアモータ又は油圧駆動シリンダであってもよく、リニアモータ又は油圧駆動シリンダの一端がケーシング１に接続され、他端が第２開閉板５に接続されるようにしてもよく、それによって、ケーシング１に対して第２開閉板５をスライドするように駆動することができる。
【００６３】
図５に示すように、本願のいくつかの実施例では、ファンユニット２は、第１吹出口１１ａに正対して設置され得る第１ファン２２と、第２吹出口１１ｂに正対して設置され得る第２ファン２３とを備えてもよく、使用ニーズに応じて第１ファン２２と第２ファン２３の動作状態をそれぞれ制御することができ、それによって、ユーザーの使用上の柔軟性を向上させることができる。
【００６４】
好ましくは、第１ファン２２は、軸流ファンであってもよく、斜流ファンであってもよく、二重反転ファンであってもよい。好ましくは、第２ファン２３は、軸流ファンであってもよく、斜流ファンであってもよく、二重反転ファンであってもよい。
【００６５】
本願のいくつかの実施例では、第１ファン２２は、斜流ファンであってもよく、第２ファン２３は、二重反転ファンであってもよい。それによって、空気調和機の室内機１００の送風効果を向上させることができる。斜流ファンは、軸方向で空気を吸い込み、軸方向と所定の角度で傾斜した方向で吹出する方式で送風し、且つ斜流ファンの風吹出量が大きく、それによって、第１ファン２２の吹出量を増加できるだけでなく、第１ファン２２の吹出角度をさらに大きくし、第１ファン２２の送風範囲を広くすることができることを理解できる。
【００６６】
二重反転ファンは、正対して設置された２つのインペラーを備えてもよく、２つのインペラーの羽根の配置方向が反対である。二重反転ファンが動作するときに、２つのインペラーの回転方向が反対である場合、２つのインペラーの回転方向の接線方向に沿った送風速度を相互に相殺することができ、２つのインペラーの軸方向での送風速度が互いに重なり、それによって、第２ファン２３の軸方向での送風速度を高めることができ、さらに第２ファン２３の送風距離を大幅に増加し、第２ファン２３に遠距離送風の効果を付与することができる。二重反転ファンの２つのインペラーの回転方向が同じである場合、２つのインペラーの回転方向の接線方向に沿った送風速度が互いに重なり、２つのインペラーの軸方向での送風速度を相互に相殺することができ、空気流が第２ファン２３の周囲に向けて分散して流れ、空気流が第２吹出口１１ｂから室内のユーザーに直接吹き出すことを防止することができ、それによって、無風感の吹出効果を達成させ、ユーザーの使用時の快適性を大幅に向上させることができる。
【００６７】
１つのみのインペラーが動作する場合にも、二重反転ファンは、無風感の吹出効果を達成することができる。具体的には、二重反転ファンの一方のインペラーが回転するとき、気流の作用で、二重反転ファンの他方の動作しないインペラーが回転することができ、このとき、２つのインペラーの回転方向が同じであり、上記説明によれば、このとき二重反転ファンは無風感の送風効果を達成することができる。
【００６８】
また、二重反転ファンの２つのインペラーが同時に低速で回転する場合、２つのインペラーの回転方向が同じであってもよく、反対であってもよく、いずれも無風感の吹出効果を達成することができる。二重反転ファンの２つのインペラーの回転数が低く、空気流の流通速度が遅いため、空気流は、第１吹出口１１ａからゆっくりと流出することができ、それによって、無風感の送風効果を達成することができる。
【００６９】
それによって、上記設置によって、送風角度を大きくする必要がある場合、第１ファン２２を開放し、第１ファン２２が広範囲への送風効果を達成することができる。遠距離で送風する必要がある場合、第２ファン２３を開放して、第２ファン２３の２つのインペラーの回転方向が反対となるように制御し、それによって、第２ファン２３の送風距離を大幅に増加することができる。無風感の吹出方式を必要とする場合、第２ファン２３の２つのインペラーの回転方向が同じとなるように制御し、第２ファン２３が周囲に向けて風を分散させることができ、空気流が第２吹出口１１ｂから室内のユーザーに直接吹き出すことを防止することができる。第１ファン２２と第２ファン２３が同時に動作するときに、第１吹出口１１ａと第２吹出口１１ｂの吹出角度が異なるため、第１吹出口１１ａ及び第２吹出口１１ｂから流出した２つの空気流は、室内空間で合流することができ、それによって、室内の温度分布をより均一にすることができる。
【００７０】
なお、第１ファン２２及び第２ファン２３の設計形態は、これに限定されない。第１ファン２２は、軸流ファン、斜流ファン及び二重反転ファンのうちのいずれか１つであってもよく、第２ファン２３も軸流ファン、斜流ファン、及び二重反転ファンのうちのいずれか１つであってもよく、実際の使用ニーズに応じて組み合わせて使用することができ、本願では、これついて特に制限しない。
【００７１】
図５に示される具体例では、空気調和機の室内機１００は、吹出フレーム部材２１をさらに備えてもよく、吹出フレーム部材２１は、ケーシング１に接続されてもよい。上下方向に間隔をあけて配置されている第１風道部材２４及び第２風道部材２５は、吹出フレーム部材２１に設けられ、第１風道部材２４は、第１吹出口１１ａに正対して設置され、第２風道部材２５は、第２吹出口１１ｂに正対して設置される。第１ファン２２は、第１風道部材２４内に設けられ、第２ファン２３は、第２風道部材２５内に設けられる。それによって、上記設置によって、第１ファン２２と第２ファン２３の取り付けや固定を便利にするだけでなく、第１風道部材２４と第２風道部材２５のいずれも導流の効果を達成することができ、空気調和機の室内機１００の送風効率を向上させることができる。
【００７２】
図９に示すように、本願のいくつかの実施例では、間隔をあけて配置されている複数の第２吹出微細孔５ａが第２開閉板５に設けられてもよく、各第２吹出微細孔５ａは、第２開閉板５の厚さ方向（たとえば、図９に示される前後方向）において第２開閉板５を貫通することができ、それによって、空気調和機の室内機１００が無風感の吹出効果を達成させ、ユーザーの使用時の快適性を向上させることができる。
【００７３】
具体的には、空気調和機の室内機１００は、第２正常送風モード及び第２無風感送風モードを有してもよい。空気調和機の室内機１００が第２正常送風モードである場合、第２駆動機構６は、第２開閉板５をケーシング１に対してスライドするように駆動して第２吹出口１１ｂを開放し、空気流は、第２吹出口１１ｂを介して吹き出される。空気調和機の室内機１００が第２無風感送風モードである場合、第２開閉板５は、ケーシング１と結合して第２吹出口１１ｂを密閉することができ、空気流は、複数の第２吹出微細孔５ａを介して吹き出される。複数の第２吹出微細孔５ａは、空気流を複数の小さな分岐気流に分けることができ、且つ第２吹出微細孔５ａの孔径が小さいため、空気流の速度を低下させる作用を奏することができ、空気流は、複数の第２吹出微細孔５ａ内からゆっくりと流出できることを理解できる。それによって、無風感の送風効果を達成して、空気流が室内のユーザーに直接吹き出すことによる不快感を防止することができ、ユーザー体験を大幅に向上させる。
【００７４】
好ましくは、空気調和機の室内機１００は、冷房モードである場合、冷気が室内のユーザーに直接吹き出すことを防止するために、空気調和機の室内機１００を第２無風感送風モードに調節し、冷気が複数の第２吹出微細孔５ａから室内空間へゆっくりと流れるようにすることができる。空気調和機の室内機１００は、暖房モードである場合、熱風の空気密度が小さく流通速度が遅いため、空気調和機の室内機１００を第２正常送風モードに調節して、熱風は第２吹出口１１ｂから室内空間内に迅速に流れるようにすることができ、それによって、空気調和機の室内機１００の暖房効率を向上させることができる。
【００７５】
図９に示すように、本願のいくつかの実施例では、第２吹出口１１ｂの外縁に位置し間隔をあけて設置された複数の第３吹出微細孔１１ｃがケーシング１に設けられてもよく、各第３吹出微細孔１１ｃは、ケーシング１の厚さ方向（たとえば、図９に示される前後方向）においてケーシング１を貫通することができ、各第３吹出微細孔１１ｃがいずれも風道流路に連通し、それによって、空気調和機の室内機１００の送風効率を向上させることができ、第２無風感送風モードの空気調和機の室内機１００の冷房及び暖房効果を向上させることができる。
【００７６】
たとえば、図９に示すように、第２吹出口１１ｂが円形に形成され、第２開閉板５には、間隔をあけて配置されている複数の第２吹出微細孔５ａが設けられ、複数の第２吹出微細孔５ａが組み合わされて円形に形成され、且つ第２吹出口１１ｂに正対して設置されるようにしてもよい。第２吹出口１１ｂの外縁に位置して間隔をあけて設置された複数の第３吹出微細孔１１ｃがケーシング１に設けられ、複数の第３吹出微細孔１１ｃは、第２吹出口１１ｂの外周に位置し、且つ組み合わされてほぼ円環状に形成される。それによって、上記設置によって、第２開閉板５の第３吹出微細孔１１ｃとケーシング１の第３吹出微細孔１１ｃからは、同時に吹出することができ、空気調和機の室内機１００の吹出効率を大幅に向上させ、且つ、空気調和機の室内機１００の外観の設計をより美しくして、空気調和機の室内機１００の外観性を高めることができる。
【００７７】
本出願の実施例に係る空気調和機は、本出願の上記実施例の空気調和機の室内機１００を備える。
【００７８】
なお、本出願の説明において、「長さ」、「幅」、「厚さ」、「上」、「下」、「前」、「後」、「左」、「右」、「鉛直」、「内」、「外」、「周方向」などのような用語により示される方位又は位置関係は、図面に示される方位又は位置関係に基づくものであり、本出願の説明及び説明の簡単化のために過ぎず、示される装置又は要素が特定方位を有したり、特定方位で構成又は操作されたりすることを指示又は示唆するものではなく、よって、本出願に対する限定としては理解されない。また、「第１」、「第２」により限定される特徴は、１つの又は複数のこの特徴を明示的に、あるいは黙示的に含んでもよい。本出願の説明において、「複数」は、特に明記しない限り、２つ又は２つ以上を意味する。
【００７９】
なお、本出願の説明において、明確に指定又は限定しない限り、「取付」、「結合」、「接続」などの用語は、広義で理解すべきであり、たとえば、固定して接続してもよく、取り外し可能に接続してもよく、又は一体に接続してもよく、機械的に接続してもよく、或いは、電気的に接続してもよく、直接接続してもよく、中間媒体を介して間接的に接続してもよく、２つの要素の内部が連通してもよい。当業者であれば、具体的な状況に応じて上記用語の本出願における具体的な意味を理解し得る。
【００８０】
本明細書の説明において、用語「一実施例」、「いくつかの実施例」、「例示的な実施例」、「例」、「具体例」、又は「いくつかの例」等を参照した説明は、該実施例又は例と組み合わせて説明されている特定の特徴、構造、材料又は特性が、本出願の少なくとも１つの実施例又は例に含まれることを意味する。本明細書において、上記用語の例示的な表現は、必ずしも同じ実施例又は例を意味するわけではない。さらに、説明された特定の特徴、構造、材料又は特性が、任意の１つ又は複数の実施例又は例においては適切な組み合わせで一体化されていてもよい。
【００８１】
本出願の実施例を例示して説明したが、当業者であれば、本出願の原理や精神から逸脱することなく、これらの実施例に対して様々な変更、改定、置換や変形を行うことができ、本出願の範囲が特許請求の範囲及びその等価物により限定されることが理解できる。
【符号の説明】
【００８２】
１００  空気調和機の室内機、１  ケーシング、１１  プロントパネル、１１ａ  第１吹出口、１１ｂ  第２吹出口、１１ｃ  第３吹出微細孔、１２  バックパネルユニット、１２ａ  吸込口、１２１  吸い込みグリル、２  ファンユニット、２１  吹出フレーム部材、２２  第１ファン、２３  第２ファン、２４  第１風道部材、２５  第２風道部材、２６  吹出風道部材、２６ａ  取付空間、２６１  吹出ルーバー、３  第１開閉板、３１  ガイド部材、３１１  取付部、３１２  導流部、３１２ａ  ねじ柱、３２  密閉部材、３２ａ  第１吹出微細孔、３３  第１接続フレーム、３３１  第１取付孔、３４  第２接続フレーム、３４１  第２取付孔、４  第１駆動機構、４１  第１駆動ギア、４２  第１ラック、４２１  ストッパー溝、４２２  結合カラム、４３  止めロッド、４４  ラックボックス、４４１  案内孔、４５  第１駆動モータ、５  第２開閉板、５ａ  第２吹出微細孔、６  第２駆動機構、６１  第２駆動ギア、６２  第２ラック、７  熱交換部材、８  開閉板取付板。
【図１】
2021513043.tif 000003
【図２】
2021513043.tif 000004
【図３】
2021513043.tif 000005
【図４】
2021513043.tif 000006
【図５】
2021513043.tif 000007
【図６】
2021513043.tif 000008
【図７】
2021513043.tif 000009
【図８】
2021513043.tif 000010
【図９】
2021513043.tif 000011
【国際調査報告】
2021513043.tif 000012
2021513043.tif 000013
2021513043.tif 000014
2021513043.tif 000015